(57)【要約】      （修正有）【課題】大型で重いコアをチェーンブロック等の大きなスペースを要する機材を使うことなく、円滑にマグネットケースへの挿入を可能とするブレーキコア挿入装置を提供する。【解決手段】電磁ブレーキのマグネットケース１に形成された穴部に円筒状のコアを挿入する際の位置決めを行うためのコア挿入装置において、前記コアの挿入装置は、前記コアと同一の直径を持つ円筒形であり前記円筒部上に配設される突起部を備え、前記穴部に挿入される位置決め治具３と、前記マグネットケース１への固定部と、前記固定部上に設けられそれぞれが等角度間隔となるように配置された少なくとも３つ以上のガイドローラと、を持つ案内治具４とで構成した。【選択図】図１
2013227102.tif 000002
【特許請求の範囲】
【請求項１】
電磁ブレーキのマグネットケースに形成された穴部に円筒状のコアを挿入する際の位置決めを行うためのコア挿入装置において、
コア挿入装置は、
前記コアと同一の直径を持つ円筒形であり前記円筒部上に配設される突起部を備え、前記穴部に挿入される位置決め治具と、
前記マグネットケースへの固定部と、前記固定部上に設けられ、それぞれが等角度間隔となるように配置された少なくとも３つ以上のガイドローラと、を持つ案内治具と、
を備えていることを特徴とするコア挿入装置。
【請求項２】
請求項１に記載の位置決め治具において、前記位置決め治具の端部が先端側ほど直径が小さくなるテーパー形状に形成されていることを特徴とするコア挿入装置。
【発明の詳細な説明】
【技術分野】
【０００１】
本発明は、エレベーターの電磁ブレーキコア挿入装置に関する。
【背景技術】
【０００２】
一般に、エレベーター用電動機の制動装置として使用される電磁ブレーキは、図９に示すように床上に設置したマシンビーム８上に固定されており、ブレーキドラム９の外周部を挟むように一対の制動腕１０、１１が設置され、この両制動腕１０、１１はそれぞれ下端に設けたピン１４、１５によって可回動的にマシンビーム８に支持されると共に、その中間部の対向部にブレーキシュー１２、１３をそれぞれ固定している。両制動腕１０、１１の上端部には、ロッド２０がそれぞれ貫通して取り付けてあり、このロッド２０に装着した圧縮ばね１６によって制動腕１０、１１の上端部間を挟めるように弾性的に付勢している。従って、定常状態でブレーキシュー１２、１３には圧縮ばね１６によってブレーキドラム９への押圧力が付与されてブレーキドラム９に対する制動力を発生しており、この制動力は、ロッド２０における圧縮ばね１６の締め付け代を変えることによって調整することができる。
【０００３】
図１０は、図９に示した電磁ブレーキのマグネットケース１内を示す断面図である。中空円筒状のマグネットケース１の内部に電磁コイル６を装着しており、この電磁コイル６の内部には、マグネットケース１の内周面とコア２およびコア５の外表面とが略平行になるようにコア２およびコア５が配置され、これらコア２、５はそれぞれ同軸方向に間隙を設けた上で対向配置されている。またコア２内を軸方向に貫通している孔には、コア５の対向側中心部に取り付けたプッシュロッド７が上下方向に可動できるように挿通されている。電磁コイル６が励磁された場合、コア５はマグネットケ−ス１内に吸引されるため、プッシュロッド７は下方に移動し、図９に示したレバー１９を介して、押圧ロッド１７、１８を外側に押し、圧縮ばね１６の押圧に抗して制動腕１０、１１を押し広げブレーキシュー１２、１３をブレーキドラム９から開離させる構造になっている。
【０００４】
このような構造の電磁ブレーキにおいては、電磁コイルの励磁による吸引および非励磁による釈放によって、コア２がマグネットケース１内を往復摺動する。また、同時にプッシュロッド７がコア２孔内を往復摺動するので、各摺動面には潤滑剤を塗布してある。経年稼動により前記潤滑剤の枯渇、摺動面の摩耗、前記潤滑剤への摩耗粉の混入等が発生するため、エレベーターの保守においては、定期的にコア２、５をマグネットケース１内から取り出して、摩耗状況の確認、摺動面の清掃、潤滑剤の塗布を実施する必要がある。
【０００５】
ここで、上記点検および清掃作業後の電磁ブレーキの組み立て時に、コアの挿入装置が必要な場合がある。この種の装置としては、電磁ブレーキの軸受部材圧入装置が特許文献１に開示されている。
【先行技術文献】
【特許文献】
【０００６】
【特許文献１】特開平４−１４１３７８号公報
【発明の開示】
【発明が解決しようとする課題】
【０００７】
特許文献１に記載の電磁ブレーキの軸受部材圧入装置においては、ケーシングか貫通穴であることから、軸受挿入後に第２の筒体を下方から抜くことができるが、本発明の対象である電磁ブレーキのコアが挿入される穴は、コアの貫通が不可能であるため、コアの挿入完了後、第２の筒体を抜き取ることができない。
【０００８】
また、本発明においては、第２の筒体をまず貫通穴に嵌入させる必要があるが、その際にも貫通穴と平行に第２の筒体を挿入させる課題が生じる。
【０００９】
また、特許文献１に記載の装置は、改造などで電磁ブレーキの部品がバラパラの状態で使用するものであり、電磁ブレーキの保全作業として、コア部分のみを抜き取り、挿入する分解・組立作業においては適用できない。
【００１０】
また、一般的な電磁ブレーキ分解・組立作業においては、コアが小型・軽量であれば、このような挿入装置を使用することなく手作業でのコアの位置決めや挿入が可能であるが、大型で重いコアである場合は手持ちによる位置決めが困難であり、図８に示すように、斜めに挿入しようとした場合はコア２とマグネットケース１とが齧ってしまう場合があり、戻り作業の発生や、齧りによる各部品の損傷の程度によっては部品の交換を要する事態を招くおそれがある。
【００１１】
このような大型で重いコアの挿入を行う場合は、チェーンブロック等の機材でコアの重心を吊り点としてコアを吊り上げることで位置決めおよび挿入作業を補助できるが、チェーンブロックを設置する天井の高さが低く天井から作業するマグネットケース部までの距離が短い場合は、天井フックやチェーンブロック、吊り下げワイヤー等を設置するスペースが確保できずこの方法を使用することができない。
【００１２】
本発明は、かかる問題を解消するためになされたものであり、大型で重いコアをチェーンブロック等の大きなスペースを要する機材を使うことなく、マグネットケースに対して円滑にコアを挿入することを可能とするブレーキコア挿入装置を提供することを目的とする。
【課題を解決するための手段】
【００１３】
上記目的を達成するため本発明は、
電磁ブレーキのマグネットケースに形成された穴部に円筒状のコアを挿入する際の位置決めを行うためのコア挿入装置において、
コア挿入装置は、
前記コアと同一の直径を持つ円筒形であり前記円筒部上に配設される突起部を備え、前記穴部に挿入される位置決め治具と、
前記マグネットケースへの固定部と、前記固定部上に設けられ、それぞれが等角度間隔となるように配置された少なくとも３つ以上のガイドローラと、を持つ案内治具と、
を備えていることを特徴とする。
【００１４】
このように構成したことにより、前記案内治具は前記穴部に挿入された前記位置決め治具によりその設置位置および前記ガイドローラーの位置を正確に調整可能であるため、上記のように設置調整された前記位置決め治具の前記ガイドローラーに前記コアを当接させながら挿入することにより、前記コアは前記マグネットケースの穴部に正確に挿入される。
【発明の効果】
【００１５】
以上のように構成して使用することにより、大型で重いコアであってもマグネットケースの穴部にコアを正確に挿入することを可能となる。
【図面の簡単な説明】
【００１６】
【図１】本発明の一実施例の全体構成を示す概略図である。
【図２】位置決め治具を取付けた状態を示す側面図である。
【図３】位置決め治具を取付けた状態を示す平面図である。
【図４】位置決め治具および案内治具を取付けた状態を示す平面図である。
【図５】図４のＡから見た側面図である。
【図６】案内治具のみを取付けた状態を示す側面図である。
【図７】案内治具を使用してコアを挿入する状態を示す側面図である。
【図８】従来の課題を説明するための概略図である。
【図９】電磁ブレーキの構造を示す説明図である。
【図１０】電磁ブレーキのマグネットケース内部構造を示す断面図である。
【発明を実施するための形態】
【００１７】
以下、本発明の一実施形態を、図１〜図７、図８、図９により説明する。
【００１８】
図１はこの発明の実施例工の全体構成を示す概略図、図２〜７は本発明のブレーキコア挿入装置を使用したコア挿入作業の手順を示す概略図、図８は本発明の作業対象であるブレーキ構造を示す説明図、図９は本発明の作業対象であるブレーキのマグネットケース内部構造を示す断面図である。尚、各図中、同一符号は同一部分を示す。
【００１９】
図１〜図７、図８、図９において、１はコイル６を納めたマグネットケース、２はコア、３は位置決め治具、４は案内治具である。本実施例は、円筒上に形成されたマグネットケース１の穴部にコア２を円滑に挿入させることを可能とするために、位置決め治具３と案内治具４とで構成したブレーキコア挿入装置である。
【００２０】
位置決め治具３は、外周がコア２と同一直径となる円筒状の硬質材で形成されており、図２、図３に示すようにその長手方向の中間付近に外周面から突起する３ヶ所のつば部３ａを有している。
【００２１】
つば部３ａの下面は、円筒に対して直角で、かつ、３ヶ所は互いに同一の高さ寸法で、円周上に等角度間隔で配設されている。また、位置決め治具３の円筒部下端の角部は図５に示すようにテーパー状に面取りされており、その先端の直径はコア２の直径よりも小さくなっている。
【００２２】
案内治具４は、図１と図４に示すように、下面にマグネットを有するリング状の固定部４ｄの上面に等間隔に３ヶ所配設された軸受け４ｃと、位置決め治具３の円筒の外周面にそれぞれ当接する３つのガイドローラ４ａと、ガイドローラ４ａを保持するローラ軸４ｂとで構成されている。軸受け４ｃはローラ軸４ｂを水平移動可能かつ固定することが可能である。
【００２３】
ここで、ガイドローラ４ａの材質は、コア２の位置を保持するためのものなので非弾性体が望ましく、ガイドローラ４ａがコア２に当接した際に硬すぎてコア２を傷つけないように、コア２の材質（鉄鋼）と同等か、コア２の材質より柔らかい例えばアルミのような金属か、硬質のプラスチックとする。
【００２４】
次に、本ブレーキコア挿入装置を用いたブレーキの分解清掃後の組立て時におけるマグネットケース１へのコア５とコア２の挿入作業手順を説明する。
【００２５】
まず、図２ 、３に示すように、位置決め治具３を面取り部分を下にして、３ヶ所のつば部３ａの下面がマグネットケース１の上面に当接するまでマグネットケース１の穴部に挿入する。この作業においては、位置決め治具３の円筒部下端の角部はテーパー状に面取りされておりその先端の直径はコア２の直径よりも小さくなっていることから、穴部への挿入および位置決めを容易としている。
【００２６】
次に、図４、５に示すように、案内治具４を位置決め治具３の上方から３ヶ所のガイドローラ４ａを位置決め治具３の円筒外周面に当接させながら下方に移動し、案内治具４の下端の固定部４ｄをマグネットでマグネットケース１上面に吸着固定する。その後、ガイドローラ４ａを保持するローラ軸４ｂを軸受け４ｃに固定する。
【００２７】
ここで、固定部４ｄのマグネットは、コア２やコア５の挿入作業時に位置ズレしない程度の磁力を有するものとし、磁力をスイッチで入り・切りできるものとしても良いし、電磁石としても良い。
【００２８】
この後、位置決め治具３のみを上方に持ち上げて抜き取り、図６に示す状態とする。
【００２９】
次に、図７に示すように、コア２を案内治具４のローラ４ａにコア２の外周面を当接させるようにして、コア２をマグネットケース１の穴部に挿入する。同様な手順によりコア５をマグネットケース１の穴部に挿入する。
【００３０】
以上説明した手順により、コア２やコア５が傾いてマグネットケース１と齧るようなことがなく、円滑にコア２やコア５をマグネットケース１の穴部に挿入させることができる。
【符号の説明】
【００３１】
１  マグネットケース
２  コア
３  位置決め治具
３ａ  つば部
４  案内治具
４ａ  ガイドローラ
４ｂ  ローラ軸
４ｃ  軸受け
４ｄ  固定部
５  コア
６  コイル
７  プッシュロッド
８  マシンベース
９  ブレーキドラム
１０、１１  制動腕
１２、１３  ブレーキシュー
１４、１５  ピン
１６  圧縮ばね
１７、１８  押圧ロッド
１９  レバー
２０  ロッド
【図１】
2013227102.tif 000003
【図２】
2013227102.tif 000004
【図３】
2013227102.tif 000005
【図４】
2013227102.tif 000006
【図５】
2013227102.tif 000007
【図６】
2013227102.tif 000008
【図７】
2013227102.tif 000009
【図８】
2013227102.tif 000010
【図９】
2013227102.tif 000011
【図１０】
2013227102.tif 000012